(57)【要約】【課題】  本発明の目的は、強度を保ちつつ、その形状を支柱の形状と略同形状とすることができ、美観を向上させることが可能な支柱固定構造を提供することである。【解決手段】  支柱を固定する支柱固定金物１が支持棒２と該支持棒２を固定する固定部材３とからなり、支持棒２は、固定部材３とのネジ結合作業のための空間となるくり抜き部２ａと、くり抜き部２ａにおいて固定部材３とネジ結合するためのネジ結合部２ｃと、を備え、固定部材３は、躯体５に固定するための固定部３ａと、支持棒２の断面外形に応じた筒状受部３ｂと、筒状受部３ｂの底部において支持棒２とネジ結合するためのネジ結合部３ｃと、を備え、固定部材３の筒状受部３ｂに挿入した支持棒２のくり抜き部２ａを利用して支持棒２の第１のネジ結合部２ｃと固定部材３の第２のネジ結合部３ｃとをネジで結合してなることを特徴とする。【選択図】    図１
2005097847.tif 000002
【特許請求の範囲】
【請求項１】
支柱を固定する支柱固定金物が、支持棒と、前記支持棒を固定する固定部材とからなり、
前記支持棒は、前記固定部材とのネジ結合作業のための空間となるくり抜き部と、前記くり抜き部において前記固定部材とネジ結合するための第１のネジ結合部と、を備え、
前記固定部材は、躯体に固定するための固定部と、前記支持棒の断面外形に応じた筒状受部と、前記筒状受部の底部において前記支持棒とネジ結合するための第２のネジ結合部と、を備え、
前記固定部材の筒状受部に挿入した支持棒のくり抜き部を利用して前記支持棒の第１のネジ結合部と前記固定部材の第２のネジ結合部とをネジで結合してなることを特徴とする支柱固定構造。
【請求項２】
支柱を固定する支持棒と、前記支持棒を固定する固定部材とからなる支柱固定金物であって、
前記支持棒は、前記固定部材とのネジ結合作業のための空間となるくり抜き部と、前記くり抜き部において前記固定部材とネジ結合するための第１のネジ結合部と、を備え、
前記固定部材は、躯体に固定するための固定部と、前記支持棒の断面形状に応じた筒状受部であって前記支持棒を挿入し底部にて受ける筒状受部と、前記筒状受部の底部において前記支持棒の第１のネジ結合部とネジで結合するための第２のネジ結合部と、を備えていることを特徴とする支柱固定金物。
【発明の詳細な説明】
【技術分野】
【０００１】
本発明は、支柱を固定するための支柱固定金物およびその構造に関するものである。
【背景技術】
【０００２】
従来、ベランダや屋上利用部に手摺を設置する場合、鉄骨梁等に固定された柱脚がベランダ床や屋上床に貫通して立設される。この柱脚の構造としては、例えば特開昭５８−６２２３６号公報に記載されているように、柱脚となる円筒状の支持柱が、床を貫通して上部が床から所定高さ突出し、その基端部側に一体に設けた取付フランジがボルト・ナットにより床下の梁に固着された構造となっている。
【０００３】
ここで、従来の柱脚の固定構造の一例を図６及び図７を用いて説明する。図６及び図７に示すように、手摺支柱等を固定するための柱脚５１は、上端に方形平板５２ｃを備え円筒部５２ａ内周に雌ネジ部５２ｂを備えた柱固定金具５２と、円筒部５３ａ外周に雄ネジ部５３ｂを備えた支持柱５３とからなる。
【０００４】
なお、図７に示すように、床６１は、鉄骨梁６２上に床材６１ａが敷設され、鉄骨梁６２上の床材６１ａの所定位置に前記柱固定金具５２を配設するための孔６３が穿設され、最終的には該床材６１ａ上に防水シート６１ｂが敷設されてなる。前記床材６１ａの所定位置に穿設された孔６３を介して該床材６１ａ下の鉄骨梁６２に固定された柱固定金具５２は、その上端（円筒部５２ａ上端）が床材６１ａの上面から突出（露出）している。この柱固定金具５２の上端が突出した状態の床材６１ａの上面に前記防水シート６１ｂを敷設する。この防水シート６１ｂの敷設時に、前記柱固定金具５２の雌ネジ部５２ｂが防水シート６１ｂから露出するように、各柱固定金具５２の位置（孔６３）に応じた位置に孔を穿設しながら床材６１ａの全面にわたって防水シート６１ｂを敷設する。
【０００５】
この防水シート６１ｂの敷設後、床６１表面から露出した柱固定金具６２の雌ネジ部に対して、支持柱５３の円筒部５３ａ外周に設けられた雄ネジ部５３ｂを螺合締着して柱脚５１を床６１に貫通して立設させている。
【０００６】
なお、この支持柱５３を取り付けるに先立って、例えば、支持柱５３の円筒部５３ａ外周にハット型の防水部材７１の円筒部７１ａを嵌装すると共に、前述の如く支持柱５３を柱固定金具５２に螺合締着した際に、床６１に敷設された防水シート６１ｂに防水部材７１の鍔部７１ｂを溶着またはバンド等で締付させる。これにより床６１と柱脚５１との間の防水性能が確保される。
【０００７】
このようにして、ベランダ床や屋上床などの床６１に貫通して立設された柱脚５１に対して、例えば角型の手摺支柱等の支柱を前記柱脚上に接続する場合、図５（ｂ）に示すように前記柱脚５１における支持柱５２の上端に設けられた方形平板５２ｃ上に設置する。
【０００８】
【特許文献１】特開昭５８−６２２３６号公報
【発明の開示】
【発明が解決しようとする課題】
【０００９】
しかしながら、前述の従来例のように、ベランダの手摺支柱の形状が角型である場合、図５（ｂ）及び図７に示すように角型の支柱７２を柱脚５１上に接続するために前記支持柱５２の円筒部５２ａと角型の支柱７２との間に幅広の方形平板５２ｃが介在するため美観を損ねるという問題があった。
【００１０】
また従来、柱脚５１の形状は、強度やシール材等による止水のし易さの関係上、略円筒形に限定されてしまい、図５（ｂ）に示すように柱脚５１の上部に設置されるベランダの支柱７２の形状と合わず美観を損ねるという問題があった。
【００１１】
本発明は上記課題を解決するものであり、その目的とするところは、強度を保ちつつ、その形状を支柱の形状と略同形状とすることが可能であり、また美観を向上させることが可能な支柱固定金物およびその構造を提供することである。
【課題を解決するための手段】
【００１２】
上記目的を達成するための本発明の支柱固定構造は、支柱を固定する支柱固定金物が、支持棒と、前記支持棒を固定する固定部材とからなり、前記支持棒は、前記固定部材とのネジ結合作業のための空間となるくり抜き部と、前記くり抜き部において前記固定部材とネジ結合するための第１のネジ結合部と、を備え、前記固定部材は、躯体に固定するための固定部と、前記支持棒の断面外形に応じた筒状受部と、前記筒状受部の底部において前記支持棒とネジ結合するための第２のネジ結合部と、を備え、前記固定部材の筒状受部に挿入した支持棒のくり抜き部を利用して前記支持棒の第１のネジ結合部と前記固定部材の第２のネジ結合部とをネジで結合してなることを特徴とする。
【００１３】
また、上記目的を達成するための本発明の支柱固定金物の構成は、支柱を固定する支持棒と、前記支持棒を固定する固定部材とからなる支柱固定金物であって、前記支持棒は、前記固定部材とのネジ結合作業のための空間となるくり抜き部と、前記くり抜き部において前記固定部材とネジ結合するための第１のネジ結合部と、を備え、前記固定部材は、躯体に固定するための固定部と、前記支持棒の断面形状に応じた筒状受部であって前記支持棒を挿入し底部にて受ける筒状受部と、前記筒状受部の底部において前記支持棒の第１のネジ結合部とネジで結合するための第２のネジ結合部と、を備えていることを特徴とする。
【００１４】
上記本発明によれば、強度を保ちつつ、支持棒の形状を支柱の形状と略同形状とすることが可能であり、また従来必要であった方形平板等が不要となり、美観を向上させることが可能である。
【００１５】
例えば、建物の屋上やベランダ等において手摺の支柱等を固定する柱脚等の支柱固定金物が、上面に防水層が敷設された防水床を貫通する支柱固定金物である場合、該支柱固定金物が支持棒と前記支持棒を固定する固定部材とからなり、前記支持棒は、ネジ結合作業のための空間となるくり抜き部と、前記くり抜き部において前記固定部材とネジ結合するためのネジ結合部と、を備え、前記固定部材は、床下の躯体に固定するための固定部と、前記支持棒の断面外形に応じた筒状受部と、前記筒状受部の底部において前記支持棒とネジ結合するためのネジ結合部と、を備え、前記防水層下に位置する固定部材の筒状受部に前記支持棒を挿入し前記筒状受部の底部にて前記支持棒を受け、前記支持棒に設けたくり抜き部を利用して前記支持棒のくりぬき部におけるネジ結合部と前記固定部材の筒状受部底部におけるネジ結合部とをネジで結合してなる支柱固定構造が好ましい。
【００１６】
上記構造によれば、躯体に固定された固定部材の筒状受部は、その上端が床上面より下方に位置し該床上面から突出していないため、防水シート等の防水層の敷設時に各固定部材の位置に応じた穴を穿設することなく、床上面の全面にわたって防水層を敷設することができ、該防水層の敷設に要する施工性が向上する。
【００１７】
また、前記支持棒のくり抜き部は最終的には、支持棒の外周に嵌装される嵌装部と前記嵌装部の外縁に水密的に接続された鍔部とを有する防水部材により覆われ防水を施し、更には前記支持棒の先端部を手摺支柱等の中空支柱に挿入し支持固定する構造とすることにより、支持棒部分が外部に露出しないため、該支持棒の防錆の程度を落とすことができ、コストダウンになる。
【発明の効果】
【００１８】
上述したように、本発明の支柱固定金物およびその構造によれば、固定部材の筒状受部に挿入した支持棒のくり抜き部を利用して支持棒における第１のネジ結合部と固定部材における第２のネジ結合部とをネジ結合するため、強度を保ちつつ、支持棒の形状を支柱の形状と略同形状とすることができる。すなわち、支柱が円形でない形状、特に角型形状にすることができる。また支柱を固定する支持棒の形状を該支柱の形状と略同形状とすることができるので、従来必要であった方形平板等が不要となり、美観を向上させることができる。
【発明を実施するための最良の形態】
【００１９】
以下、図面を参照して、本発明に係る支柱固定金物およびその構造の好適な実施の形態を例示的に詳しく説明する。
【００２０】
本実施形態に係る支柱固定金物の構造の一実施形態を図１〜図３を用いて説明する。本実施形態では、支柱固定金物として、建物の屋上やベランダ等において手摺の支柱等を固定するための柱脚を例示して説明する。
【００２１】
図１〜図３に示すように、支柱固定金物１としての柱脚は、手摺支柱を固定する支持棒２と、前記支持棒２を固定する固定部材３と、からなる。
【００２２】
前記支持棒２は、固定部材３とのネジ結合作業のための空間となるくり抜き部２ａと、前記くり抜き部２ａにおいて前記固定部材３とネジ結合するための第１のネジ結合部２ｃと、を備えている。
【００２３】
前記くり抜き部２ａは支持棒２の挿入側となる略中央下部をくり抜いて設けてあり、該くり抜き部２ａの略中央部に第１のネジ結合部２ｃが一体に設けてある。本実施形態に係る支持棒側のネジ結合部２ｃは、ボルト等の雄ネジ部材４を貫通支持するネジ貫通部である。雄ネジ部材４のネジ頭部には締め付け工具としての６角レンチを嵌合するための６角穴４ａが設けてある。
【００２４】
前記固定部材３は、躯体としての鉄骨梁５に固定するための固定部３ａと、前記支持棒２を挿入し底部にて受ける筒状受部３ｂと、前記筒状受部３ｂの底部において前記支持棒２のくり抜き部２ａにおける第１のネジ結合部２ｃとネジで結合するための第２のネジ結合部３ｃと、を備えている。
【００２５】
前記固定部３ａは、ボルト等の締結部材によって鉄骨梁５に締め付け固定される。前記筒状受部３ｂは、前記支持棒２の断面形状に応じた中空の筒状受部であり、その底部には前記支持棒側のネジ貫通部２ｃとネジ結合するための第２のネジ結合部３ｃが設けてある。本実施形態に係る固定部材側のネジ結合部２ｃは、前記支持棒側のネジ貫通部２ｃを貫通した雄ネジ部材４を螺合するための雌ネジ部であって、筒状受部３ｂの底部に一体に設けられている。
【００２６】
なお、本実施形態では、前記支持棒２のくり抜き部２ａの上方に溝２ｂが設けてある。この溝２ｂは、固定部材３の筒状受部３ｂに挿入した支持棒２のくり抜き部２ａを利用して該支持棒２と固定部材３とをネジ結合をする際に、前記くり抜き部２ａに対して締め付け工具としての６角レンチ６を挿入するためのものである。
【００２７】
上記構成の支持棒２と固定部材３とからなる支柱固定金物としての柱脚１は、鉄骨梁５に固定した固定部材３の筒状受部３ｂに支持棒２を挿入し、該筒状受部３ｂの底部にて前記支持棒２を受け、前記支持棒２に設けたくり抜き部２ａを利用して、前記支持棒２のくり抜き部２ａにおけるネジ貫通部２ｃと前記固定部材３の筒状受部３ｂ底部の雌ネジ部３ｃとを雄ネジ部材４で締め付けた構造となっている。
【００２８】
前記支持棒２のくり抜き部２ａを利用してネジ結合する際には、くり抜き部２ａ上方に設けた溝２ｂから６角レンチ６を挿入し、該６角レンチ６先端を雄ネジ部材４頭部の６角穴４ａに嵌合させて、該６角レンチ６にて締め付けることで支持棒２と固定部材３とをネジ結合する。
【００２９】
なお、上述の形態では、支持棒２の断面形状および該支持棒２を挿入する筒状受部３ｂの断面形状が角型、すなわち矩形である場合を例示しているが、本発明はこれに限定されるものではなく、例えばこれ以外にも他の多角形や円形や楕円形等、使用目的に応じて種々の断面形状のものを用いることが可能である。円形以外の断面形状である場合に有利である。例えば、強度を保ちつつ美観を向上させるために、支柱の断面形状に応じて前記支持棒の断面形状および該支持棒を挿入する筒状受部の断面形状を略同形状とすることができる。
【００３０】
また、図１に示す形態では、支持棒２側の第１のネジ結合部をネジ貫通部２ｃとし、固定部材３側の第２のネジ結合部を雌ネジ部３ｃとしたが、これに限定されるものではなく、例えば図４に示すように支持棒２側の第１のネジ結合部を第２のネジ結合部とは逆ネジの雌ネジ部２ｅとし、同様に雄ネジ部材４の頭部側（支持棒２側）も先端側（固定部材３側）に対して逆ネジにする。この場合、いわゆるターンバックルなので、支持棒２のくり抜き部２ａを利用して、雄ネジ部材４の頭部側に設けた６角穴４ａに６角レンチ６を嵌合させ、該雄ネジ部材４を締め付けることで支持棒２と固定部材３とをネジ結合することができる。
【００３１】
また、図１に示す支持棒２においてくり抜き部２ａは、該支持棒側の第１のネジ結合部２ｃの上下がくり抜かれた状態を例示しているが、本発明はこれに限定されるものではなく、支持棒２の略中央下部において第１のネジ結合部２ｃ上側にあたる部分のみをくり抜いたくり抜き部としてもよい。更に、図３ではくり抜き部２ａの上方に該くり抜き部２ａに対して６角レンチ６を挿入するための溝２ｂを設けた場合を例示しているが、本発明はこれに限定されるものではなく、この溝２ｂはなくても良い。例えば図４に示すように、固定部材３の筒状受部３ｂに挿入した支持棒２において、くり抜き部２ａが前記筒状受部３ｂから外部（上部）に露出していれば、該支持棒２のくり抜き部２ａを利用して６角レンチ６によるネジ結合作業ができる。このように支持棒２におけるくり抜き部２ａの形状は、少なくともネジを締め付ける作業空間として機能する形状であれば図１及び図４に示す以外の形状であってもよい。
【００３２】
上述したように、本実施形態によれば、鉄骨梁５に固定した固定部材３の筒状受部３ｂに支持棒２を挿入し該筒状受部３ｂの底部にて支持棒２を受け、該支持棒２に設けたくり抜き部２ａを利用して、支持棒２のくり抜き部２ａにおける第１のネジ結合部２ｃと固定部材３の筒状受部３ｂにおける第２のネジ結合部３ｃとをネジで結合してなる構造であるため、強度を保ちつつ、支持棒の形状を支柱の形状と略同形状とすることができる。すなわち、支柱が円形でない形状、特に角型形状にすることができる。また支柱を固定する支持棒の形状を該支柱の形状と略同形状とすることができるので、従来必要であった方形平板等が不要であり、美観を向上させることができる。
【００３３】
次に、上記構造の支柱固定金物１を、建物の屋上やベランダ等において手摺の支柱等を固定する柱脚として用いた場合を例示して説明する。この場合、支柱固定金物としての柱脚１は、上面に防水層が敷設された防水床８を貫通し、該貫通部分にて手摺の支柱を支持固定する。
【００３４】
なお、図２に示すように、床８は、鉄骨梁５上に床材８ａが敷設され、該床材８ａの所定位置に前記固定部材３を配設するための孔９が穿設され、最終的には該床材８ａ上に防水層としての防水シート８ｂが敷設されてなる。
【００３５】
支柱固定金物としての柱脚１は、図１及び図２に示すように、前述した支持棒２と固定部材３とからなる。そして、前述した防水層としての防水シート８ｂ下に位置する固定部材３の筒状受部３ｂに前記支持棒２を挿入し該筒状受部３ｂの底部にて前記支持棒２を受け、前記支持棒２に設けたくり抜き部２ａを利用して、前記支持棒２のくり抜き部２ａにおける第１のネジ結合部２ｃと前記固定部材３の筒状受部３ｂ底部における第２のネジ結合部３ｃとを雄ネジ部材４で結合してなる構造が好ましい。
【００３６】
なぜならば、前述した従来例では、図７に示すように、床材６１ａ下の鉄骨梁６２に固定した柱固定金具５３の上端が該床材６１ａの上面から突出しているため、該床材６１ａの上面に防水層としての防水シート６１ｂを敷設する際に、多数設置された柱固定金具５３の各位置において、防水シート６１ｂに柱固定金具５３の雌ネジ部５３ｂを露出させるための穴を穿設しながら敷設しなければならず、その作業に手間がかかるという問題があった。
【００３７】
これに対し上記本発明の構造によれば、図２に示すように、鉄骨梁５に固定された固定部材３の筒状受部３ｂは、その上端が防水シート８ｂより下方に位置し該床材８ａ上面から突出していないため、前述した効果に加えて更に、防水シート等の防水層の敷設時に各固定部材の位置に応じた穴を穿設することなく、床上面の全面にわたって防水層を敷設することができ、該防水層の敷設に要する施工性が向上する。
【００３８】
また、図３及び図４に示すように、前記支持棒２のくり抜き部２ａは最終的には、支持棒２の外周に嵌装される嵌装部１０ａと前記嵌装部１０ａの外縁に水密的に接続された鍔部１０ｂとを有する防水部材１０により覆われ防水を施される。更には図３（ｃ）、図４（ｃ）及び図５（ａ）に示すように前記支持棒２の先端部２ｄを手摺支柱等の中空支柱７を挿入し支持する構造とすることにより、柱脚１において支持棒２の床８上に貫通した部分が外部に露出しないため、該支持棒２の防錆の程度を落とすことができ、コストダウンになる。また、強度を保ちつつ美観を向上させるために、支柱７の断面形状に応じて前記支持棒２の断面形状および該支持棒２を挿入する筒状受部３ｂの断面形状を略同形状とすることができる。
【産業上の利用可能性】
【００３９】
本発明の活用例として、建物の屋上やベランダ等において、手摺の支柱等を固定するための柱脚等の支柱固定金物およびその構造に適用することができる。
【図面の簡単な説明】
【００４０】
【図１】本発明に係る支柱固定金物を示す斜視説明図である。
【図２】本発明に係る支柱固定金物を示す断面説明図である。
【図３】本発明に係る支柱固定金物を示す斜視説明図である。
【図４】本発明に係る支柱固定金物の他の形態を示す斜視説明図である。
【図５】本発明に係る支柱固定金物と従来の支柱固定金物とを手摺支柱を固定する柱脚として用いた場合の比較図である。
【図６】従来の支柱固定金物を示す斜視説明図である。
【図７】従来の支柱固定金物を示す断面説明図である。
【符号の説明】
【００４１】
１    …支柱固定金物（柱脚）
２    …支持棒
２ａ  …くり抜き部
２ｂ  …溝
２ｃ  …ネジ貫通部（第１のネジ結合部）
２ｄ  …先端部
２ｅ  …雌ネジ部（第１のネジ結合部）
３    …固定部材
３ａ  …固定部
３ｂ  …筒状受部
３ｃ  …雌ネジ部（第２のネジ結合部）
４    …雄ネジ部材
４ａ  …６角穴
５    …鉄骨梁
６    …６角レンチ
７    …支柱
８    …床
８ａ  …床材
８ｂ  …防水シート
９    …孔
１０  …防水部材
１０ａ …嵌装部
１０ｂ …鍔部
【図１】
2005097847.tif 000003
【図２】
2005097847.tif 000004
【図３】
2005097847.tif 000005
【図４】
2005097847.tif 000006
【図５】
2005097847.tif 000007
【図６】
2005097847.tif 000008
【図７】
2005097847.tif 000009